(57)【要約】【課題】ブロック部材およびロッド部材はそれ自体が結合調整機能を有するロック装置の提供。【解決手段】本発明のロック装置は、ブロック部材を挿入方向に向かって押圧する偏りの度合いが減少したときに、回転自在なブロック部材の開口部に挿入される鋸歯状のロッド部材を有するロック装置である。挿入後、鋸歯状のロッド部材を挿入された方向に引き抜くことにより偏りの度合いが増加し、これにより、鋸歯状のロッド部材の縦軸に対して垂直面に投影される開口部の直径が減少し、鋸歯状のロッド部材が開口部内に保持される。鋸歯状のロッド部材における鋸歯状の部分を有さない端部は、シートベルトに対応する環状のもの、あるいは棒部材への挿入に対応するねじ山のものに形成されている。ベルトまたは棒部材は、人間や対象物を保持する。
2004537697.tif 000002
【特許請求の範囲】
【請求項１】
支持構造体と、
中央に開口部が設けられ、第１の端部と第２の端部とを有し、第１の端部と開口部との間において前記支持構造体に回転自在に取り付けられているブロック部材と、
第１の端部と、第２の端部と、棒状部とを有するロッド部材であって、第１の端部付近からの棒状部に沿った部分の厚さが周期的に変化し、その周期的な厚さの最大値が前記ブロック部材の開口部の最小の直径よりも小さくなり、第２の端部が引締装置に結合可能なロッド部材と、
前記ブロック部材を偏らせる手段とを備えたロック装置。
【請求項２】
ロッド部材の第２の端部は環状に形成されていることを特徴とする請求項１に記載のロック装置。
【請求項３】
ロッド部材の第２の端部にねじ山が設けられていることを特徴とする請求項１に記載のロック装置。
【請求項４】
ブロック部材は第１の凹部を有し、
支持構造体は第２の凹部を有し、
ブロック部材を偏らせる手段は、第１の凹部に挿入された第１の端部と、第２の凹部に挿入された第２の端部とを有するバネ部材からなることを特徴とする請求項１に記載のロック装置。
【請求項５】
ロッド部材の第２の端部は環状に形成されていることを特徴とする請求項４に記載のロック装置。
【請求項６】
ロッド部材の第２の端部にねじ山が設けられていることを特徴とする請求項４に記載のロック装置。
【請求項７】
ロッド部材がブロック部材の中にあるか否かを検知するセンサーを備えたことを特徴とする請求項４に記載のロック装置。
【請求項８】
ロッド部材の第２の端部は環状に形成されていることを特徴とする請求項７に記載のロック装置。
【請求項９】
ロッド部材の第２の端部にねじ山が設けられていることを特徴とする請求項７に記載のロック装置。
【請求項１０】
偏りの度合いを減少させる手段を更に備えたことを特徴とする請求項７に記載のロック装置。
【請求項１１】
ロッド部材の第２の端部は環状に形成されていることを特徴とする請求項１０に記載のロック装置。
【請求項１２】
ロッド部材の第２の端部にねじ山が設けられていることを特徴とする請求項１０に記載のロック装置。
【請求項１３】
偏りの度合いを減少させる手段を更に備えたことを特徴とする請求項４に記載のロック装置。
【請求項１４】
ロッド部材の第２の端部は環状に形成されていることを特徴とする請求項１３に記載のロック装置。
【請求項１５】
ロッド部材の第２の端部にねじ山が設けられていることを特徴とする請求項１３に記載のロック装置。
【発明の詳細な説明】
【技術分野】
【０００１】
本発明は、例えば娯楽用の乗り物の搭乗者を含む対象物を着脱自在に保持する装置に関する。
【背景技術】
【０００２】
本件発明者は、方向が偏ったブロック部材の開口部に対する鋸歯状のロッドの挿入を含むロック装置についての知見はない。
【０００３】
しかしながら、シートベルトの穴へ結合する従来の結合タブ部材は広く知られている。このタブ部材は一般的に開口部を有している。このタブ部材が雌コネクタに挿入されるときには、当該タブ部材は、バネにより偏った突起部材を、開口部がこの突起部材と直線状に並ぶまで、側方に押す。これにより、突起部材は開口部の中に押圧され、したがって、突起部材が押される、あるいは他の方法により開口部から引き抜かれるまでは、このタブ部材が引き抜かれることがない。
【０００４】
さらに、可動自在な棒部材を娯楽用の乗り物の搭乗者の膝または肩を交差して設置してもよい。この棒部材が搭乗者を保持する位置に置かれたときには、当該棒部材は水圧による力でその位置に維持される。
【発明の開示】
【発明が解決しようとする課題】
【０００５】
この発明のロック装置は、第１の端部から棒状部に沿って直径が周期的に変化するロッド部材を利用するものである。このロック装置は開口部を有するブロック部材を備えている。ロッド部材の最大の厚さはブロック部材の開口部の最小の直径よりも小さく、これにより、ロッド部材は開口部に挿入可能となる。
【０００６】
開口部の中心部とブロック部材の第１の端部との間において、ブロック部材は回転自在に支持構造体に取り付けられており、このブロック部材の第２の端部はロッド部材が挿入されるべき方向に偏っている。このブロック部材の偏りにより、ロッド部材の縦軸に対して垂直面に投影される開口部の最小の直径の大きさが減少する。開口部の投影された最小の直径は、ロッド部材の開口部への押圧が偏りの度合いを弱めさせるので、ロッド部材の周期的な最大の直径よりも小さくなる。その結果、開口部の投影された最小の直径がロッド部材の周期的な最大の直径よりも大きくなり、ロッド部材が開口部に挿入可能になるまで、開口部の投影された最小の直径が増加する。ロッド部材を押し続けることによって、より開口部に対して挿入できるようになる。しかし、ロッド部材を開口部にさらに押し続けると、偏りにより開口部の縁部がロッド部材の周期的な最大の直径部分の間の部分に対して押される。そして、ロッド部材を引き抜こうと試みると、ロッド部材はブロック部材を引っ張り、偏りが加えられるあるいは増加し、その結果、開口部の投影された直径が減少してロッド部材の引き抜きが妨げられる。
【０００７】
ロッド部材を引き抜きたい場合、偏りの度合いを減少させるために、ブロック部材を押したり引いたりするような物理的な力を作用する一般に知られている方法が用いられる。
【０００８】
ロッド部材の第２の端部はシートベルトの布地や棒部材などの引締装置に結合可能なものである。
【０００９】
ロッド部材はブロック部材の中に一層押圧されることが可能なので、ブロック部材およびロッド部材はそれ自体が結合調整機能を有し、従来のシートベルトのように、結合調整機能を得るために、この布地のベルトの幅が変化することを必要としない。
【００１０】
必ずしも必要ではないが、ロッド部材がブロック部材の中にあるか否かを検知するセンサーを備えることが好ましい。
【課題を解決するための手段】
【００１１】
本発明は、支持構造体と、中央に開口部が設けられ、第１の端部と第２の端部とを有し、第１の端部と開口部との間において前記支持構造体に回転自在に取り付けられているブロック部材と、第１の端部と、第２の端部と、棒状部とを有するロッド部材であって、第１の端部付近からの棒状部に沿った部分の厚さが周期的に変化し、その周期的な厚さの最大値が前記ブロック部材の開口部の最小の直径よりも小さくなり、第２の端部が引締装置に結合可能なロッド部材と、前記ブロック部材を偏らせる手段とを備えたロック装置である。
本発明によるロック装置においては、ロッド部材の第２の端部は環状に形成されていることが好ましい。
また、本発明によるロック装置においては、ロッド部材の第２の端部にねじ山が設けられていることが好ましい。
【００１２】
本発明によるロック装置においては、ブロック部材は第１の凹部を有し、支持構造体は第２の凹部を有し、ブロック部材を偏らせる手段は、第１の凹部に挿入された第１の端部と、第２の凹部に挿入された第２の端部とを有するバネ部材からなることが好ましい。
上記のロック装置においては、ロッド部材の第２の端部は環状に形成されていることが好ましい。
また、上記のロック装置においては、ロッド部材の第２の端部にねじ山が設けられていることが好ましい。
【００１３】
本発明によるロック装置においては、ロッド部材がブロック部材の中にあるか否かを検知するセンサーを備えたことが好ましい。
上記のロック装置においては、ロッド部材の第２の端部は環状に形成されていることが好ましい。
また、上記のロック装置においては、ロッド部材の第２の端部にねじ山が設けられていることが好ましい。
【００１４】
本発明によるロック装置においては、偏りの度合いを減少させる手段を更に備えたことが好ましい。
上記のロック装置においては、ロッド部材の第２の端部は環状に形成されていることが好ましい。
また、上記のロック装置においては、ロッド部材の第２の端部にねじ山が設けられていることが好ましい。
【発明の効果】
【００１５】
本発明は、ブロック部材およびロッド部材はそれ自体が結合調整機能を有するロック装置を提供する。
【発明を実施するための最良の形態】
【００１６】
ロック部材は、開口部１０２が設けられたブロック部材１０１を有している。
ロッド部材１０３は、開口部１０２に取外自在に挿入されている。ロッド部材１０３は、鋸歯状となっている。すなわち、当該ロッド部材１０３の第１の端部１０５付近からの棒状部に沿った部分１０４の厚さが周期的に変化する。
【００１７】
このロッド部材１０３の周期的な最大の厚さ１０６は、ブロック部材１０１の開口部１０２の最小の直径よりも小さくなっており、これにより、ロッド部材１０３は開口部１０２に挿入可能となる。
【００１８】
開口部１０２の中心とブロック部材１０１の第１の端部１０７との間において、ブロック部材１０１は支持構造体１０８に回転自在に取り付けられている。ブロック部材１０１は、ブロック部材１０１の第２の端部１０９が、ロッド部材１０３が挿入されるべき、ブロック部材１０１の第１の端部１０７の方向に向かうように偏っている。必ずしも必要ではないが、このような偏りは、開口部１０２の中心とブロック部材１０１の第２の端部１０９との間で行われるのが好ましい。
【００１９】
偏りは、どのような部材１１０によっても行うことができ、例えば、ブロック部材１０１と支持構造体１０８との間に物理的な力を加えるバネ部材によって行われる。必ずしも必要ではないが、ブロック部材１０１は、部材１１０の第１の端部１１２を保持する第１の凹部１１１を有することが好ましい。また、必ずしも必要ではないが、支持構造体１０８は、部材１１０の第２の端部１１４を保持する第２の凹部１１３を有することが好ましい。
【００２０】
ロッド部材１０３の第２の端部１１５は、シートベルトの布地や棒部材などの引締装置に結合可能なものであり、このような引締装置に適応可能な形とされている。この第２の端部１１５の形は、一般的には、シートベルトに対応する環状のもの、あるいは棒部材への挿入に対応するねじ山のものである。
【００２１】
このようなロック装置の動作は上述のとおりである。このような記載によれば、ロッド部材１０３がブロック部材１０１の中に押圧されればされるほど、締め付けが強化されることは明らかである。
【００２２】
そして、また、上記の記載において、偏りの度合いを減少させるために、ブロック部材１０１を押したり引いたりするような、物理的な力を作用する一般に知られている手段が用いられている。
【００２３】
このような手段としては、例えば、ブロック部材１０１を引っ張るよう当該ブロック部材１０１に取付け可能な手動で操作できるロッドやレバー、モータ、ブロック部材１０１を押すよう水圧が加えられたロッド、あるいはブロック部材１０１を押すよう空気圧が加えられたロッドが用いられる。
【００２４】
最後に、ロッド部材１０３がブロック部材１０１の中にあるか否かを検知する、一般に知られているような種類のセンサー１１６を用いてもよい。このセンサーとしては、例えば、接触センサーや光センサーが用いられる。
【産業上の利用可能性】
【００２５】
ロック装置が産業における利用可能な方法およびロック装置が製造および使用可能な方法は、ロック装置の説明と性質から明らかである。
【図面の簡単な説明】
【００２６】
【図１】ロック装置を示す通常の図である。
【図２】ロック装置の分解図である。
【図３】第２の端部が環状に形成されているロッド部材を示す。
【図４】第２の端部にねじ山が設けられているロッド部材を示す。
【符号の説明】
【００２７】
１０１  ブロック部材
１０２  開口部
１０３  ロッド部材
１０４  部分
１０５  第１の端部
１０６  ロッド部材の周期的な最大の厚さ
１０７  第１の端部
１０８  支持構造体
１０９  第２の端部
１１０  部材
１１１  第１の凹部
１１２  第１の端部
１１３  第２の凹部
１１４  第２の端部
１１５  第２の端部
１１６  センサー
【国際公開パンフレット】
2004537697.tif 000003
2004537697.tif 000004
2004537697.tif 000005
2004537697.tif 000006
2004537697.tif 000007
2004537697.tif 000008
2004537697.tif 000009
2004537697.tif 000010
2004537697.tif 000011
2004537697.tif 000012
【国際公開パンフレット（コレクトバージョン）】
2004537697.tif 000013
【国際調査報告】
2004537697.tif 000014
2004537697.tif 000015